【手続補正書】
【提出日】平成16年3月26日(2004.3.26)
【手続補正１】
【補正対象書類名】特許請求の範囲
【補正対象項目名】全文
【補正方法】変更
【補正の内容】
【特許請求の範囲】
【請求項１】
多角形形状の上面と下面とを有するスローアウェイ旋削チップであって、前記多角形形状の上面と下面とが、それらにほぼ垂直な側面により連結され、側面と上面及び下面の少なくとも一つとの交差部が切刃を形成し、また上面及び下面の多角形形状により形成されるコーナーにおける、側面の交差部が、チップコーナーを形成し、チップが複数の同一切刃を具備し、チップコーナーが、同一切刃に結び付けられたノーズを具備し、同一切刃に結び付けられた側面が、ノーズに隣接する第一ワイパーを具備し、第一ワイパーが湾曲セグメントと平坦セグメントとを具備し、前記湾曲セグメントが、ノーズの曲率半径より大きい曲率半径を有してノーズ半径に連結し、また同一切刃を形作る側面の延長線から内側に置かれた、ノーズから最も遠い終端を有し、前記平坦セグメントが、湾曲セグメントからチップ側面の方へ延びてチップ側面に浅い角度で交わる、スローアウェイ旋削チップ。
【請求項２】
多角形形状が長斜方形であるところの、請求項１に記載のスローアウェイ旋削チップ。
【請求項３】
第二同一切刃が、ノーズを具備するチップコーナーに結び付けられ、また第二同一切刃が、第二湾曲セグメントと第二平坦セグメントとを持つ第二ワイパーを有し、前記第二湾曲セグメントが、第一湾曲セグメントの半径に等しい半径のものであり、また第二湾曲セグメントは、ノーズ半径に連結し、また第二同一切刃を形作る側面の延長線から内側に置かれる終端まで延び、また第二平坦セグメントが、ノーズから最も遠い第二湾曲セグメント終端から延びて、第一ワイパーの平坦セグメントにより形作られる浅い角度に等しい浅い角度でチップ側面に交わるところの、請求項２に記載のスローアウェイ旋削チップ。
【請求項４】
長斜方形形状が、鋭角の内抱角を有する少なくとも二つのチップコーナーを形成し、そのようなチップコーナーの各々が、前記第一及び第二ワイパーにより範囲を定められるノーズ部分を具備するところの、請求項３に記載のスローアウェイ旋削チップ。
【請求項５】
多角形形状がダイヤモンド形であるところの、請求項１に記載のスローアウェイ旋削チップ。
【請求項６】
多角形形状が六角形であるところの、請求項１に記載のスローアウェイ旋削チップ。
【請求項７】
各同一切刃に隣接したランドであって、切刃の多角形面から、及び結び付けられた同一切刃の内側から浅い角度で傾斜を付けられたランドを更に具備する請求項１に記載のスローアウェイ旋削チップ。
【請求項８】
各同一切刃の内側に切りくず制御溝を更に具備し、該切りくず制御溝が、切刃の多角形面から、また結び付けられた切刃の内側へ浅く傾斜する、請求項１に記載のスローアウェイ旋削チップ。
【請求項９】
切りくず制御溝の底から立ち上がって、切刃の多角形面に切りくず制御溝の内側で交わる切りくず制御壁を更に具備する、請求項６に記載のスローアウェイ旋削チップ。
【請求項１０】
多角形形状が長斜方形であるところの、請求項９に記載のスローアウェイ旋削チップ。
【請求項１１】
第二同一切刃が、ノーズを具備するチップコーナーに結び付けられ、また第二同一切刃が、第二湾曲セグメントと第二平坦セグメントとを持つワイパーを有し、前記第二湾曲セグメントが、第一湾曲セグメントの半径に等しい半径のものであり、また第二湾曲セグメントは、ノーズ半径に連結し、また第二同一切刃を形作る側面の延長線から内側に置かれる終端まで延び、また第二平坦セグメントが、ノーズから最も遠い第二湾曲セグメント終端から延びて、第一ワイパーの平坦セグメントにより形作られる浅い角度に等しい浅い角度でチップ側面に交わるところの、請求項１０に記載のスローアウェイ旋削チップ。
【請求項１２】
長斜方形形状が、鋭角の内抱角を有する少なくとも二つのチップコーナーを形成し、そのようなチップコーナーの各々が、前記第一及び第二ワイパーにより範囲を定められたノーズ部分を具備するところの、請求項１１に記載のスローアウェイ旋削チップ。
【請求項１３】
多角形形状がダイヤモンド形であるところの、請求項９に記載のスローアウェイ旋削チップ。
【請求項１４】
多角形形状が六角形であるところの、請求項９に記載のスローアウェイ旋削チップ。
【請求項１５】
浅い角度が、二〜四度の範囲にあるところの、請求項１に記載のスローアウェイ旋削チップ。
【請求項１６】
浅い角度が、二〜四度の範囲にあるところの、請求項３に記載のスローアウェイ旋削チップ。
【請求項１７】
ワイパーがワイパー幅を形成して、湾曲セグメントにより形成されるワイパー幅の一部分が、平坦セグメントにより形成されるワイパー幅の一部分よりも大であるところの、請求項１に記載のスローアウェイ旋削チップ。
【手続補正２】
【補正対象書類名】明細書
【補正対象項目名】００１０
【補正方法】変更
【補正の内容】
【００１０】
引き続き図２ａ〜２ｃを参照すると、切刃３０から４６が（切刃４０〜４６は図２bにおいてのみ示されている）、少なくとも側面１４から２４の一部と上面１０及び/又は下面１２との交差部に形作られている。上面１０及び下面１２の両面に切刃を備えるチップは、そのような切刃の選択されたものを露出するように装着される。多角形チップは、複数の同一の露出可能な切刃をホルダ内のチップの特定の配向での使用に提供するために、通常少なくとも部分的には対称である。完全に対称なチップの全ての切刃は同一である。少なくとも部分的に対称なチップは、単一のチップが回転または“角度決め”されて、ホルダに装着されたときの使用に選択された同一切刃を与えるという点で“スローアウェイ”チップと呼称される。従って、図２ａ及び２ｃに描かれたチップ形状は八もの数の同一切刃を有しており、一方図２ｂに描かれた切刃は十二もの数の同一切刃を有している。
【手続補正３】
【補正対象書類名】明細書
【補正対象項目名】００１４
【補正方法】変更
【補正の内容】
【００１４】
出願者は、本発明によるワイパーが、表１〜４のデータで示されるように、湾曲セグメント又は平坦セグメントのみを単独で具備する公知のワイパーに比較して向上した切削性能を提供することを割出した。表１〜４では、“ワイパー幅”は、図４で示された寸法“Ｗ”に対応し、試験された各チップのワイパーセグメントの全体的広がりに適用されるものであり、また表面仕上りは、図１に示された溝の深さ“ｄ”に対応し、またノーズ半径は図４に示された半径Ｒｎに対応する。規定された特性のスローアウェイ旋削チップが、ＡＩＳＩ１０４５鋼で作られた加工物の、毎分１８２．９ｍ（600 feet）の表面速度における、様々な切削深さ（ＤＯＣ（depth of cut））、並びに送り量（ｍｍ／回転（inches per revolution "IPR"））の範囲での旋削試験で使用された。
【表１】
2005503934.tif 000001
【表２】
2005503934.tif 000002
【表３】
2005503934.tif 000003
【表４】
2005503934.tif 000004
表１〜４のデータから、本発明による湾曲セグメントと平坦セグメントとを具備するワイパーを有するチップ番号４が、切削試験の切削深さ（ＤＯＣ）の範囲全てを通して最良の全体的性能を生み出している。更に、本発明によるワイパーが比較的小さなノーズ半径を維持する一方で比較的大きなワイパー幅を提供していることが表１〜４のデータから見られる。図４及び５で示されるように、湾曲セグメント１００（又は１０２）により形成されるワイパー幅Ｗの部分Ｗ１は、平坦セグメント１０４（又は１０６）により形成される部分Ｗ２よりも大である。
【手続補正４】
【補正対象書類名】明細書
【補正対象項目名】００１６
【補正方法】変更
【補正の内容】
【００１６】
【図１】図１は、旋削チップと加工物との間の接触の拡大図である。
【図２ａ】図２ａは、スローアウェイ旋削チップの公知の形体の図である。
【図２ｂ】図２ｂは、スローアウェイ旋削チップの公知の形体の図である。
【図２ｃ】図２ｃは、スローアウェイ旋削チップの公知の形体の図である。
【図３】図３は、図２ｃのチップのコーナーの断面図である。
【図４】図４は、本発明によるチップの、コーナーノーズとワイパーの拡大図である。
【図５】図５は、本発明によるチップの、コーナーノーズとワイパーの更なる拡大図である。
【手続補正５】
【補正対象書類名】図面
【補正対象項目名】全図
【補正方法】変更
【補正の内容】
【図１】
2005503934.tif 000005
【図２ａ】
2005503934.tif 000006
【図２ｂ】
2005503934.tif 000007
【図２ｃ】
2005503934.tif 000008
【図３】
2005503934.tif 000009
【図４】
2005503934.tif 000010
【図５】
2005503934.tif 000011